(57)【特許請求の範囲】
【請求項１】
座者の頭部を支持する枕体を背もたれ部の上側に備えた車椅子における頭部等の支持装置において、前後及び上下方向の平行移動、左右方向の揺動並びに上下方向の傾倒が可能となるように枕体を支持し、夫々の調整部分が設けられている着脱退避可能な枕体支持機構を車椅子のフレーム部分の何れかに連結配設させることで車椅子を使用する座者の頭部を、該頭部位置に対応調整して支持するようにし、前記枕体支持機構は、車椅子のフレーム部分の何れかに対し背もたれ側後方へ突出するようにＵ字型の二股状の水平方向支持基部用固定継手部材を介して取り付けた水平方向支持基部と、該水平方向支持基部に対し上下方向の傾倒揺動、水平方向のスライド夫々が可能なＵ字型の二股状の上下方向支持部用固定継手部材を介して取り付けられた上下方向支持部と、後方へ向けて突出するように枕体の背面側に固着されたアーム部材を前後にスライド可能となるように挿入させ、枕体の上下方向の平行移動、左右方向の揺動、上下方向の傾倒夫々の調整が可能となるようにして上下方向支持部に枕体を固定させる頭部位置調整用の枕体調整固定手段とを備えて成り、前記車椅子のフレーム部分及び枕体支持機構における水平方向支持基部を連結固定する前記水平方向支持基部用固定継手部材、同じく枕体支持機構における上下方向支持部を連結固定する前記上下方向支持部用固定継手部材は、上記の車椅子のフレーム部分または水平方向支持基部または上下方向支持部を挟持して捩じ止めされるＵ字型の挟持部材の内部に、該挟持部材内に挿入されるこれらのフレーム部分または水平方向支持基部または上下方向支持部の外周面に当接する湾曲状の外周面を有する当接保護材を介装させてあることを特徴とする車椅子における頭部等の支持装置。
【請求項２】
水平方向支持基部は、直線型またはへの字型に形成されている請求項１記載の車椅子における頭部等の支持装置。
【請求項３】
上下方向支持部は、該上下方向支持部の一端を嵌挿固定することで連繋させる短尺の上下方向支持部固定用基部を介して前記水平方向支持基部に取り付けられていて、上下方向支持部固定用基部と上下方向支持部との間の嵌挿された連繋部分には両者を狭窄緊締状に固定させる高さ調整可能なＵ字型の継手部材を有している請求項１または２記載の車椅子における頭部等の支持装置。
【請求項４】
枕体調整固定手段は、枕体のアーム部材を挟持固定させるための案内溝を配したアーム支持部と、上下方向支持部を挿入させ狭窄固定させるための上下方向支持部挿入部とを備え、該上下方向支持部挿入部に対しアーム支持部が揺動可能となるように枢着されている請求項１乃至３のいずれか記載の車椅子における頭部等の支持装置。
【請求項５】
枕体は、頭部背面が当接する頭部背面支持部と、該頭部背面支持部の左右から前方に左右対称にして膨らみ状に形成されていて、頭部左右面が当接する頭部左右面支持部とを一体にして成る請求項１乃至４のいずれか記載の車椅子における頭部等の支持装置。
【請求項６】
挟持部材の挿入部の開口端縁部に、相互に対峙するよう一体連設したいずれか一方の挟持用舌片部に、端部内部にナット部材を固着内蔵してある水平方向支持基部、上下方向支持部をその端部の端縁を当接した状態として連結固着すると共に、挟持部材においてのいずれか他方の挟持用舌片部の外側からは、挟持用舌片部夫々に貫挿してナット部材に捩じ込まれる取付ボルトを備えたものとしてある請求項１乃至５のいずれか記載の車椅子における頭部等の支持装置。
【請求項７】
車椅子には座者の体幹部を支持する体幹支持機構を装着してあり、該体幹支持機構は、車椅子のフレーム部分に体幹支持基部を連結固定する体幹支持基部用固定継手部材と、体幹支持基部に該体幹支持基部に対して前後方向の平行移動、左右方向の揺動、上下方向の傾倒夫々が可能となるようにした体幹支持位置調整手段を介して保持された体幹支持パッドとを備えて成る請求項１乃至６のいずれか記載の車椅子における頭部等の支持装置。
【発明の詳細な説明】
【０００１】
【発明の属する技術分野】
本発明は、例えば折畳式車椅子、座位保持可能な車椅子・電動車椅子等を使用する例えば障害者等の座者の頭部を、その障害者等夫々で異なる頭部位置に対応調整して支持でき、更には体幹部等も支持できるようにした車椅子における頭部等の支持装置に関するものである。
【０００２】
【従来の技術】
従来、電動車椅子の他に普通型の折畳式車椅子、リクライニング・ティルティングシート式車椅子、跳ね上げ式アームレストや高いバックレストの中高年向けの車椅子等があり、更に、健康者が一時的に休息するためだけのリクライニング・ティルティングシート式椅子もある。これらには頭部を支持するための枕体を備えているもの、または備えていないものもある。そして、車椅子の使用に際し、頭部を支持しない場合には、障害者に対し身体機能の不十分さに伴い安定座位姿勢の確保が得られない等の不都合が生じる一方、頭部を支持するにしてもその支持装置は構造上非常に高価なものとなっているのである。また、近年、身体障害者例えば重度の脳性麻痺患者としての片麻痺者の不良姿勢に対して、その安定座位の確保と座位保持装置が確立され、移動の際には座位保持装置の装着できる電動車椅子が使用されている。この場合には、座位保持装置は車椅子に適合させるために一般にはオーダーメイドや特別な改造を行なうものであり、骨盤の位置や脊柱の変形の程度や頭部の位置関係を確認しながら座位状態を把握してモジュラー化された電動式の座位保持車椅子が作製されるのである。
【０００３】
【発明が解決しようとする課題】
しかしながら、上記した従来の技術においては、普通型の折畳式車椅子、リクライニング・ティルティングシート式車椅子、跳ね上げ式アームレストや高いバックレストの中高年者向けの車椅子等において頭部を支持するための枕体を備えていない場合には、障害者に対し身体機能の不十分さに伴い安定座位姿勢の確保が得られないばかりでなく、例えば自動車等の乗物による時の移動では車椅子毎乗り込むことが多く、その場合に頭部を支持していないと急発進時、急停止時、急カーブ走行時等には揺れその他によって疲労が大きくなり、また鞭打ち症にもなり易く、非常に耐え難いものであった。また、障害者が例えば片麻痺者の不良姿勢の場合では、麻痺側の上体が傾き、麻痺側上肢は体側に落ち、左右非対称な状態である等、障害者は夫々の障害部位、症状等が全く異なるため、頭部支持位置も夫々に対応して個別調整が必要となり、その都度座位姿勢を考慮しながら枕体を含む車椅子のオーダーメイドや特別な改造を行なうものとなる。そうすると車椅子の枕体、その支持装置等を夫々異ならしめるための独自作製の専用の金具を使用する等の非常に複雑な構成となり且つ高価なものとなり、更に、一旦枕体の調整が設定されてしまえば、これを分解したり原状に復帰させたりすることが困難である等の問題点を有していた。
【０００４】
そこで、本発明は、叙上のような従来存した諸事情に鑑み創出されたもので、例えば障害者等の座者の頭部を、その障害者等の頭部位置に対応調整して安定に支持でき、しかも、障害者等の頭部支持位置を夫々の障害部位、症状等に対応して異なっていても簡単に個別調整でき、また頭部を含めての座位姿勢を逐一考慮したとしても車椅子自体をオーダーメイドしたり、特別な改造を行なったりする必要もなく、更にその構造部品等は独自作製する専用の金具を使用せずに既存部材を使用することで安価且つ簡易に構成できると共に、一度夫々の可変各部を固定して調整設定すれば、コンパクトに纏めたり、分解したりするときにはその分解部位の再結合で原状に復帰できるものとし、一方、障害者等の胸部、腹部等の体幹部等をも保持固定できるようにした車椅子における頭部等の支持装置を提供することを目的とする。
【０００５】
【課題を解決するための手段】
上述した目的を達成するため、本発明にあっては、座者の頭部Ｃを支持する枕体２を背もたれ部Ｂの上側に備えた車椅子における頭部等の支持装置において、前後及び上下方向の平行移動、左右方向の揺動並びに上下方向の傾倒が可能となるように枕体２を支持し、夫々の調整部分が設けられている着脱退避可能な枕体支持機構１を車椅子Ｗのフレーム部分の何れかに連結配設させることで車椅子Ｗを使用する座者の頭部Ｃを、該頭部Ｃ位置に対応調整して支持するようにしたものである。
具体的には、枕体支持機構１は、車椅子Ｗのフレーム部分の何れかに対し背もたれ部Ｂ側後方へ突出するようにＵ字型の二股状の水平方向支持基部用固定継手部材を介して取り付けた水平方向支持基部１０と、該水平方向支持基部１０に対し前後傾倒方向への揺動と水平方向へのスライドが可能なＵ字型の上下方向支持部用固定継手部材２１を介して取り付けられた上下方向支持部２０と、後方へ向けて突出するように枕体２の背面側に固着されたアーム部材３１を前後にスライド可能となるように挿入させ、枕体２の上下方向の平行移動、左右方向の揺動、上下方向の傾倒夫々の調整が可能となるようにして上下方向支持部２０に枕体２を固定させる頭部位置調整用の枕体調整固定手段３０とを備えて成るものとし、また、水平方向支持基部１０は、直線型またはへの字型に形成されているものとして構成することができる。
上下方向支持部２０は、該上下方向支持部２０の一端を嵌挿固定することで連繋させる短尺の上下方向支持部固定用基部４２を介して前記水平方向支持基部１０に取り付けられていて、上下方向支持部固定用基部４２と上下方向支持部２０との間の嵌挿された連繋部分には両者を狭窄緊締状に固定させる高さ調整可能なＵ字型の継手部材４３を有する構成とすることができる。
枕体調整固定手段３０は、枕体２のアーム部材３１を挟持固定させるための案内溝３４を配したアーム支持部３２と、上下方向支持部２０を挿入させ狭窄固定させるための上下方向支持部挿入部３５とを備え、該上下方向支持部挿入部３５に対しアーム支持部３２が揺動可能となるように枢着されているものとすることができる。
枕体２は、頭部Ｃ背面が当接する頭部背面支持部３と、該頭部背面支持部３の左右から前方に左右対称にして膨らみ状に形成されていて、頭部Ｃ左右面が当接する頭部左右面支持部４とを一体にして成るものとすることができる。
また、前記車椅子Ｗのフレーム部分及び枕体支持機構１における水平方向支持基部１０を連結固定する前記水平方向支持基部用固定継手部材１１、同じく枕体支持機構１における上下方向支持部２０を連結固定する前記上下方向支持部用固定継手部材２１は、上記の車椅子のフレーム部分または水平方向支持基部１０または上下方向支持部２０を挟持して捩じ止めされるＵ字型の挟持部材１９，２９の内部に、該挟持部材１９，２９内に挿入されるこれらのフレーム部分または水平方向支持基部１０または上下方向支持部２０の外周面に当接する湾曲状の外周面を有する当接保護材１９Ａ，２９Ａを介装させて構成することができる。
更に、挟持部材１９，２９の挿入部１２，２２の開口端縁部に、相互に対峙するよう一体連設したいずれか一方の挟持用舌片部１３，２３に、端部内部にナット部材１０Ｂ，２０Ｂを固着内蔵してある水平方向支持基部１０、上下方向支持部２０をその端部の端縁を当接した状態として連結固着すると共に、挟持部材１９，２９においてのいずれか他方の挟持用舌片部１３，２３の外側からは、挟持用舌片部１３，２３夫々に貫挿してナット部材１０Ｂ，２０Ｂに捩じ込まれる取付ボルト１０Ｃ，２０Ｃを備えたものとすることができる。
一方、車椅子Ｗには座者の体幹部を支持する体幹支持機構６０を装着してあり、該体幹支持機構６０は、車椅子Ｗのフレーム部分に体幹支持基部６１を連結固定する体幹支持基部用固定継手部材６４と、体幹支持基部６１に該体幹支持基部６１に対して前後方向の平行移動、左右方向の揺動、上下方向の傾倒夫々が可能となるようにした体幹支持位置調整手段７３を介して保持された体幹支持パッド９１とを備えて成るものとしてある。
【０００６】
以上のように構成された本発明に係る車椅子における頭部等の支持装置において、車椅子Ｗのフレーム部分の何れかに連結配設させた枕体支持機構１は、前後及び上下方向の平行移動、左右方向の揺動並びに上下方向の傾倒夫々を個別に調整させて、枕体２位置を座者の頭部Ｃ位置へ対応させる。
また、枕体２のアーム部材３１を枕体調整固定手段３０を介して上下方向支持部２０に固定させる枕体支持機構１は、アーム部材３１を介して枕体２を前後方向にスライドさせると同時に、枕体２の上下方向の平行移動、左右方向の揺動、上下方向の傾倒夫々も行なわせる。
そして、水平方向支持基部１０に対して上下方向支持部用固定継手部材２１を介して取り付けられた上下方向支持部２０は、水平方向支持基部１０に対する前後傾倒方向への揺動と、水平方向支持基部１０に沿っての水平方向へのスライドとを行なわせる。
更に、上下方向支持部２０に対し枕体２のアーム部材３１を介して枕体２を固定させた枕体調整固定手段３０は、上下方向支持部２０に対し枕体２のアーム部材３１を前後にスライドさせると同時に、枕体２の上下方向の平行移動、左右方向の揺動、上下方向の傾倒夫々の調整をも行なわせる。
また、上下方向支持部２０の一端を嵌挿固定させる上下方向支持部固定用基部４２は、該上下方向支持部固定用基部４２を介して上下方向支持部２０を水平方向支持基部１０に取り付けさせる。上下方向支持部固定用基部４２と上下方向支持部２０とを接続させる継手部材４３は、上下方向支持部固定用基部４２に沿っての上下方向支持部２０自体の高さ、上下方向支持部固定用基部４２を軸としての上下方向支持部２０の上下方向の揺動夫々の調整を行なわせる。上下方向支持部固定用基部４２自体は水平方向支持基部１０に対して上下方向への傾倒揺動と、水平方向支持基部１０に沿っての水平方向へのスライドとを同時に行なわせる。
そして、車椅子Ｗのフレーム部分の何れかに取り付けた直線型またはへの字型の形状を有する水平方向支持基部１０は、枕体２の傾き、高さその他を車椅子Ｗに対して直接に微妙に調整させる。
また、枕体２の頭部Ｃ左右面が当接する頭部左右面支持部４は、頭部Ｃを頭部背面支持部３と同様に左右からも同時に支持可能とさせ、水平方向の揺れ等の頭部Ｃに掛かる刺激を吸収し緩和させる。
更に、水平方向支持基部用固定継手部材１１における挟持部材１９、上下方向支持部用固定継手部材２１における挟持部材２９夫々に挿入した当接保護材１９Ａ，２９Ａは、挟持部材１９，２９が挟持するフレーム部分等の外周面に挟持部材１９，２９自体の端縁等が食い込み状に圧入するのを阻止して損傷等を防止し、また強い挟持圧着力を発揮させる。
また、挟持部材１９，２９における一方の挟持用舌片部１３，２３には水平方向支持基部１０、上下方向支持部２０等を連結固定してあり、他方の挟持用舌片部１３，２３側からはこれらの水平方向支持基部１０、上下方向支持部２０等に内蔵のナット部材１０Ｂ，２０Ｂに取付ボルト１０Ｃ，２０Ｃを捩じ込むことで、車椅子Ｗのフレーム部分、水平方向支持基部１０等に挟持装着した挟持部材１９，２９によって車椅子Ｗのフレーム部分、水平方向支持基部１０等に、水平方向支持基部１０、上下方向支持部２０等を簡単に連結固定させる。
車椅子Ｗに装着の体幹支持機構６０は、車椅子Ｗの使用者である座者の身体等を保持固定させ、その位置に対応しての前後方向のスライド、左右方向への揺動、上下方向への傾倒等の夫々の調整で、座者夫々によって異なる体幹部等の位置に対応させて保持させる。
【０００７】
【発明の実施の形態】
以下、図面を参照して本発明の実施の形態を説明するに、図１乃至図７において示される第１の実施の形態における符号１は、例えば普通型折畳式車椅子、座位保持可能な車椅子・電動車椅子等の各種の車椅子Ｗに使用され、車椅子Ｗの座部Ｓに座る座者である身体障害者等の座者の頭部Ｃを該頭部Ｃ位置に対応調整して支持するための枕体２を車椅子Ｗの背もたれ部Ｂの上方に配置して成る枕体支持機構である。該枕体支持機構１は、例えば自転車のパイプ部材や継手部材等の既存の付属部品を利用して構成可能なものとしてあり、車椅子Ｗのフレーム部分である例えば椅子ハンドルＨの上下方向パイプ部、水平方向パイプ部等の何れか側に着脱乃至退避可能あるいは分解可能となるようにして連結配設させてある。そして、該枕体支持機構１によって枕体２を前後及び上下方向の平行移動、左右方向の揺動並びに上下方向の傾倒揺動が夫々可能となるように支持固定してある。枕体２は、頭部Ｃの背面が当接するように中央に凹状の頭部背面支持部３を形成し、該頭部背面支持部３の左右から前方に向けて左右対称にして膨らみ状となるように頭部Ｃ左右面を当接させるための頭部左右面支持部４を形成してある。
【０００８】
具体的には枕体支持機構１は、図３、図４に示すように、車椅子Ｗの椅子ハンドルＨにおける後方に延びる例えば水平方向パイプ部側に対し背もたれ部Ｂ後方部位に突出するようにして直線型形状を有するパイプ状の水平方向支持基部１０を水平方向パイプ部の廻りの回転と水平方向パイプ部に沿っての水平方向へのスライドとが可能となるように断面Ｕ字型の水平方向支持基部用固定継手部材１１を介して椅子ハンドルＨに固定させてある。更に枕体支持機構１は、図３、図５に示すように、水平方向支持基部１０に対し上下方向への傾倒揺動と水平方向支持基部１０に沿っての水平方向へのスライドとが可能となるように上記の水平方向支持基部用固定継手部材１１と同様な断面Ｕ字型の上下方向支持部用固定継手部材２１を介して水平方向支持基部１０に立設固定されるパイプ状の上下方向支持部２０によって立脚状に支持固定されるものとなっている。
【０００９】
このときの椅子ハンドルＨに対し水平方向支持基部１０を固定させるための水平方向支持基部用固定継手部材１１は、図４に示すように、椅子ハンドルＨの水平方向パイプ部を挿入させるハンドル挿入部１２と、該ハンドル挿入部１２から側方へ二股に分岐させて互いに対向させた一対の挟持用舌片部１３とから成る挟持部材１９を形成し、該挟持用舌片部１３には夫々取付孔１４を開穿し、該取付孔１４周囲に鋸歯状の滑り止め部１５を形成してある。そして、両取付孔１４の一方に、水平方向支持基部１０の一端に突設したボルト軸部１０Ａをワッシャ１７を介して貫挿させ、他方の反対側から突出したボルト軸部１０Ａに対しワッシャ１７を介して回転ハンドル１８Ａ付のナット部材１８をネジ締め固定させることにより、挟持部材１９を締付け閉塞して椅子ハンドルＨの水平方向パイプ部に水平方向支持基部１０を固定させることができるようにしてある。
【００１０】
一方、水平方向支持基部１０に対し上下方向支持部２０を固定させるための上下方向支持部用固定継手部材２１は、図５に示すように、水平方向支持基部１０を挿入させる水平方向支持基部挿入部２２と、該水平方向支持基部挿入部２２から側方へ二股に分岐させて互いに対向させた一対の挟持用舌片部２３とから成る挟持部材２９を形成し、該挟持用舌片部２３には夫々取付孔２４を開穿し、該取付孔２４周囲に鋸歯状の滑り止め部２５を形成してある。そして、該両取付孔２４の一方に、上下方向支持部２０の一端に突設したボルト軸部２０Ａをワッシャ２７を介して貫挿させ、他方の反対側から突出したボルト軸部２０Ａに対しワッシャ２７を介して回転ハンドル２８Ａ付のナット部材２８をネジ締固定させることにより、挟持部材２９を締付け閉塞して水平方向支持基部１０に上下方向支持部２０を固定させることができるようにしてある。
【００１１】
また、図１乃至図３、図６に示すように、枕体２はアーム部材３１と締付固定部材３３とから成る枕体調整固定手段３０を介して、上下方向支持部２０に対して前後及び上下方向へのスライド、上下方向の傾倒揺動夫々が自在となるように支持してある。アーム部材３１は、例えば側面略Ｌ字型で先端が二股状に形成されており、枕体２の背面側の後方へ向けて先端が左右一対にして突出するように基端側が枕体２の背面側に固着させてある。そして、締付固定部材３３は、アーム部材３１の各先端側を前後にスライド可能となるように挿入させ、後述する頭部位置調整用のダイヤル部３６の捻回による締め付け力を介してアーム部材３１を挟持固定させるための案内溝３４を上側に対向形成したアーム支持部３２と、上下方向支持部２０を挿入させ、頭部位置調整用のダイヤル部３６の捻回による締め付け力を介して上下方向支持部２０を狭窄する状態となって固定させるための上下方向支持部挟持部材３５とを備え、該上下方向支持部挟持部材３５に対しアーム支持部３２が揺動可能となるように一端に頭部位置調整用のダイヤル部３６を付設したネジ軸状の支持軸部３７を介して回転可能に枢着させてある。
【００１２】
すなわち上下方向支持部挟持部材３５は、図７に示すように、上下方向支持部１０が挿入されることでこれに装着するほぼＵ字状の上下方向支持部挟持部３５Ａの開口端縁部夫々に、外側面に凹凸波型状の滑り止め部が施されて相互に対峙する挟持用舌片部３５Ｂを連設して成るものである。また、アーム支持部３２は、外側面に凹凸波型状の滑り止め部が施されていて、アーム部材３１がスライド自在に案内挿通される案内溝３４が形成されている浅底キャップ状のアーム支持盤３８と、該アーム支持盤３８と共にアーム部材３１を挟着するようにしてアーム支持盤３８に冠着されるアーム挟持盤３９とから成っており、上下方向支持部挟持部材３５の左右外側面に、夫々の滑り止め部を当接させた状態で配置されることで、二股状のアーム部材３１を上下方向支持部挟持部材３５の左右で支持するものとなっている。更にダイヤル部３６を付設したネジ軸状の支持軸部３７は、一方のアーム支持部３２の外側から上下方向支持部挟持部材３５にも貫挿されて他方のアーム支持部３２の外側に突出されて捩じ止めされるものである。
【００１３】
そして、頭部位置調整の際にはダイヤル部３６を回してアーム支持部３２の上下方向支持部挟持部材３５に対するネジ締め付け力を一旦緩めることで上下方向支持部挟持部材３５に対してアーム支持部３２を前後方向に傾倒揺動できるようにしてある。このように締付固定部材３３の上下方向支持部挟持部材３５に上下方向支持部２０を挿入し、希望の高さに位置決めさせておいてから頭部位置調整用のダイヤル部３６を回転して締め付ることにより枕体２に固着したアーム部材３１を上下方向支持部２０に、その位置が緩むことなく固定させることができるようにしてある。このとき、図６、図７に示すように、頭部位置調整用のダイヤル部３６を一旦緩めておいてから枕体２の高さ変更調整と共に、左右方向の揺動並びに上下方向の傾倒揺動夫々の調整も同時に行なえるようにしてある。尚、枕体調整固定手段３０における上記の上下方向支持部挟持部材３５、アーム支持盤３８、アーム挟持盤３９、その滑り止め部等の具体的な形状、構造の詳細は、後述する体幹支持機構６０における体幹支持位置調整手段７２の挟持部材７９、アーム支持盤８３、アーム挟持盤８４等とほぼ同様なものである。
【００１４】
次に、本実施の形態の組立順序の一例を説明するに、図３、図４、図５に示すように、車椅子Ｗのフレーム部分である例えば椅子ハンドルＨの水平方向パイプ部に対し水平方向支持基部１０を水平方向支持基部用固定継手部材１１を介して略水平状に固定させ、更に水平方向支持基部１０に対し上下方向支持部用固定継手部材２１を介して水平方向支持基部１０に上下方向支持部２０を立脚固定させる。このとき、図４に示すように、水平方向支持基部用固定継手部材１１は、一方の取付孔１４から水平方向支持基部１０のボルト軸部１０Ａを貫挿させ、反対側の取付孔１４から突出したボルト軸部１０Ａに回転ハンドル１８Ａ付のナット部材１８をネジ締固定させることにより椅子ハンドルＨの水平方向パイプ部に水平方向支持基部１０を固定させるものである。また、図５に示すように、上下方向支持部用固定継手部材２１は、取付孔２４に上下方向支持部２０のボルト軸部２０Ａを貫挿させ、反対側から突出したボルト軸部２０Ａに回転ハンドル２８Ａ付のナット部材２８をネジ締め固定させるものである。そして、締付固定部材３３の上下方向支持部挟持部材３５に上下方向支持部２０を挿入させておき、枕体２のアーム部材３１の各先端側を締付固定部材３３の各案内溝３４に挿入してから、頭部位置調整用のダイヤル部３６を回転して締め付ることにより枕体２が枕体調整固定手段３０を介して上下方向支持部２０に固定されるのである。
【００１５】
次に、本実施の形態の使用方法の一例を説明するに、図６、図７に示すように、先ず、枕体調整固定手段３０により枕体２の上下方向の位置、前後方向の位置、傾倒角度位置、左右揺動方向の位置の夫々の調整を行なう場合には、締付固定部材３３の頭部位置調整用のダイヤル部３６を回転させて上下方向支持部挟持部材３５の締め付け力を一旦緩めておき、上下方向支持部挟持部材３５を上下方向支持部２０に沿って希望の高さ位置に移動させ、アーム支持部３２の案内溝３４に沿ってアーム部材３１の先端側を前後にスライドさせて希望の前後位置に移動させ、アーム支持部３２を上下方向支持部挟持部材３５に対し上下傾倒方向の希望の傾き位置に揺動させ、上下方向支持部挟持部材３５を上下方向支持部２０の廻りで揺動させて希望の方向に向けてから、ダイヤル部３６を回転させて締め付け固定すれば良い。
【００１６】
また、図８乃至図１０には第２の実施の形態が示されており、第１の実施の形態を示した図１乃至図７と同一の構成部分については同一の符号が付されることでその詳細な説明は省略されている。この第２の実施の形態にあっては第１の実施の形態における上下方向支持部２０の一端に長手方向に沿って適数のスリット状の割溝４１を形成すると共に、該上下方向支持部２０の一端側をスライド自在に嵌挿させてから希望の高さの位置で固定させるための短尺の上下方向支持部固定用基部４２を水平方向支持基部１０に配してある。すなわち、上下方向支持部固定用基部４２の一端にはボルト軸部４２Ａを突設形成してあり、該ボルト軸部４２Ａを第１の実施の形態における上下方向支持部用固定継手部材２１に挿入固定させることにより、短尺の上下方向支持部固定用基部４２を介して前記水平方向支持基部１０に上下方向支持部２０が取り付けられているのであり、上下方向支持部固定用基部４２と上下方向支持部２０との間の嵌挿された連繋部分には上下方向支持部２０の割溝４１を狭窄させて緊締固定させるためのアタッチメント式の高さ調整用レバー付の継手部材４３を有する構成としたものである。
【００１７】
該継手部材４３は、図１０に示すように、上下方向支持部２０の割溝４１側の一端を挿入させる上下方向支持部挿入部５２と、該上下方向支持部挿入部５２から側方へ二股に分岐させて互いに対向させた一対の挟持用舌片部５３とから成る挟持部材５９を形成し、該挟持用舌片部５３には夫々取付孔５４を開穿し、該取付孔５４周囲に凹凸波型状の滑り止め部５５を形成してある。そして、一端にボルト軸部５１を揺動可能となるように枢着させたレバー部４４を形成し、該レバー部４４の回転軸側には凸状の押圧部４５を形成してある。そして、両取付孔５４の一方に、レバー部４４のボルト軸部５１を、側面にラバー４７を付設したナット部材４６とワッシャ４８を介して貫挿させ、他方の反対側から突出したボルト軸部５１に対しワッシャ４８を介してナット部材４９をネジ締め固定させるものとしてある。また、レバー部４４を締め付け方向すなわち折り込み方向へ揺動させることにより、レバー部４４の回転軸側にある凸状の押圧部４５をナット部材４６側面のラバー４７に圧接させることにより継手部材４３を介して上下方向支持部２０の割溝４１を狭窄させて緊締固定させるものとしてある。尚、継手部材４３自体は上下方向支持部２０に溶接等によって一体状に形成されることもある。
【００１８】
次に、本実施の形態の組立順序の一例を説明するに、図９、図１０に示すように、車椅子Ｗの椅子ハンドルＨの例えば水平方向パイプ側に対し水平方向支持基部１０を水平方向支持基部用固定継手部材１１を介して略水平状に固定させ、更に水平方向支持基部１０に対し上下方向支持部用固定継手部材２１を介して水平方向支持基部１０に短尺の上下方向支持部固定用基部４２を取付け、更に上下方向支持部固定用基部４２に高さ調整用の継手部材４３を介して上下方向支持部２０の割溝４１側一端を挿入固定する。このとき、高さ調整用の継手部材４３は、図１０に示すように、予め上下方向支持部２０の割溝４１側に取り付けておき、該上下方向支持部２０を上下方向支持部固定用基部４２に嵌挿させておいてから継手部材４３に対しレバー部４４を締め付け方向すなわち折り込み方向へ揺動させ、レバー部４４の回転軸側にある凸状の押圧部４５をナット部材４６側面のラバー４７に圧接させることにより挟持部材５９を締付け閉塞するようにして上下方向支持部２０の割溝４１を狭窄させて緊締固定させるのである。そして、第１の実施の形態におけると同様に枕体調整固定手段３０の締付固定部材３３の上下方向支持部挟持部材３５に上下方向支持部２０を挿入させておき、枕体２のアーム部材３１の先端側を締付固定部材３３の各案内溝３４に挿入してから、頭部位置調整用のダイヤル部３６を回転して締め付けることにより枕体２が上下方向支持部２０に固定されるのである。このとき、図７に示すように、高さ調整用の継手部材４３により、枕体２の上下方向の高さ位置の調整と同時に左右方向の傾き位置の調整も同時に行なえるのである。
【００１９】
また、図１１および図１２には第３の実施の形態が示されており、第１の実施の形態を示した図１乃至図７と同一の構成部分については同一の符号が付されることでその詳細な説明は省略されている。この第３の実施の形態にあっては第１の実施の形態における水平方向支持基部１０を、図１２に示すように、約９０度以上の開き角度θに折曲させて略への字型に形成してあり、前記第２の実施の形態と同様に短尺の上下方向支持部固定用基部４２を介して前記水平方向支持基部１０に上下方向支持部２０が取り付けられていたり、図示を省略したが、第１の実施の形態と同様に図１１に示すように、略への字型の水平方向支持基部１０を介在させることにより水平方向支持基部１０の傾き、水平方向支持基部１０自体に対する上下方向支持部２０の高さ等の調整変更によって枕体２の傾き、高さその他を微妙に調整設定できるようにしてある。
【００２０】
更に、図１３に示すように、パイプ資材で形成されている例えば車椅子Ｗのフレーム部分、椅子ハンドルＨ、枕体支持機構１における水平方向支持基部１０、上下方向支持部２０夫々に、水平方向支持基部１０、上下方向支持部２０等を連結固定する水平方向支持基部用固定継手部材１１、上下方向支持部用固定継手部材２１は、フレーム部分、椅子ハンドルＨ、水平方向支持基部１０、上下方向支持部２０夫々を挟持して、ボルト、ナットを介して捩じ止めされるＵ字型の挟持部材１９，２９の内部に、該挟持部材１９，２９内に挿入されるこれらの椅子ハンドルＨ等の外周面に当接する湾曲状の外周面を有する、例えば丸パイプ、円形棒材製の当接保護材１９Ａ，２９Ａを介装させた構造のものとすることができる。すなわち挟持部材１９，２９における相対峙した浅底キャップ状の挟持用舌片部１３，２３における挿入部１２，２３側の基部に位置させてその内部に当接保護材１９Ａ，２９Ａを介装したものであり、該当接保護材１９Ａ，２９Ａは必要があれば挟持用舌片部１３，２３内部で溶接等によって固着されることもあるが、通常はフリーな回転が可能な状態で装入されているものとして、挟持用舌片部１３，２３相互の締め付け時にフレーム部分等のパイプ資材外周面で転動するようにしてきっちりとした締め付け圧着ができるようにしておく。こうすることで、パイプ資材等の上記のフレーム部分等が挿入されることでこれらを挟持した挟持部材１９，２９を捩じ止めするとき、挟持部材１９，２９内部に介装した当接保護材１９Ａ，２９Ａが、挟持部材１９，２９自体の端縁等がフレーム部分等に食い込み状に圧入するのを阻止してフレーム部分等の外表面の損傷を防止すると共に、フレーム部分等に強く圧着して確実に挟着固定することができるものである。こうした当接保護材１９Ａ，２９Ａの介装構造は、本発明における車椅子Ｗにおける車椅子における頭部等の支持装置における上記の各部材Ｈ，１０，２０等の相互に交差した連結固定にのみ使用されることなく、一般的なパイプ資材相互等によるこの種の交差状態の連結固定に使用可能なものなのである。
【００２１】
また、該図１３に示すように、中央に上記の椅子ハンドルＨ等を挿入させるほぼＵ字状の挿入部１２，２２の開口端縁部に、相互に対峙するほぼカップ状に形成されている挟持用舌片部１３，２３を一体連設して成る挟持部材１９，２９においてのいずれか一方の挟持用舌片部１３，２３に、端部内部にナット部材１０Ｂ，２０Ｂを溶接等によって固着内蔵してある水平方向支持基部１０、上下方向支持部２０をその端部の端縁を当接した状態として連結固着すると共に、挟持部材１９，２９においてのいずれか他方の挟持用舌片部１３，２３の外側からは、挟持用舌片部１３，２３夫々の取付孔１４，２４に貫挿してナット部材１０Ｂ，２０Ｂに捩じ込まれる取付ボルト１０Ｃ，２０Ｃを備えたものとしてある。こうすることで、水平方向支持基部１０、上下方向支持部２０等が固着連結されている挟持部材１９，２９をフレーム部分、椅子ハンドルＨ、水平方向支持基部１０等を挟持するようにこれらに嵌め合わせ、取付ボルト１０Ｃ，２０Ｃをナット部材１０Ｂ，２０Ｂに捩じ込むことで、フレーム部分、椅子ハンドルＨ等に水平方向支持基部１０を、また水平方向支持基部１０に上下方向支持部２０夫々を極めて簡単に交差させて連結固定することができる。もとよりこの挟持部材１９，２９には、上記の当接保護材１９Ａ，２９を介装することができるのは勿論である。尚、挟持用舌片部１３，２３外側面には、凹凸波型状の滑り止め部を形成することができ、また、継手部材４３における挟持部材５９にも同様に実施できるものである。
【００２２】
そしてまた図１、図１４に示すように、車椅子Ｗには車椅子使用者である座者の胸部、腹部等の水平方向側面等に当接することで身体の体幹部を保持固定する体幹支持機構６０を装着することができる。この体幹支持機構６０は、図示のように車椅子Ｗのフレーム部分例えば椅子ハンドルＨにおける上下方向パイプ部に、パイプ状の体幹支持基部６１を連結固定する体幹支持基部用固定継手部材６４と、体幹支持基部６１に該体幹支持基部６１に対して前後方向の平行移動、左右方向の揺動、上下方向の傾倒夫々が可能となるようにした体幹支持位置調整手段７３を介して保持された体幹支持パッド９１とを備えて成るものである。
【００２３】
体幹支持基部用固定継手部材６４は、上記した水平方向支持基部用固定継手部材１１、上下方向支持部用固定継手部材２１等とほぼ同構造のものであり、椅子ハンドルＨの上下方向パイブ部を挿入する挿入部６５、挟持用舌片部６６から成る挟持部材６７、体幹支持基部６１内部に固着のナット部材６８、取付ボルト６９等を備えている。体幹支持位置調整手段７２は、体幹支持パッド背面に固着される相互に平行になっている二股状のアーム部材７１と、該アーム部材７１をスライド自在、揺動自在に連結して体幹支持基部６１に揺動自在に連結させる締付固定部材７３とから成っている。アーム部材７１、締付固定部材７３夫々は前記の枕体支持機構１の枕体調整固定手段３０におけるアーム部材３１、締付固定部材３３等とほぼ同構造のものである。すなわちアーム部材７１は体幹支持パッド９１に固着されるほぼ角Ｕ字状の固着部から平行にアームを延設すると共に、そのアーム先端部分を締付固定部材７３に挿入してあるものである。締付固定部材７３は、体幹支持基部６１が挿入されることでこれに装着するほぼＵ字状の体幹支持基部挿入部７４の開口端縁部夫々に、外側面に凹凸波型状の滑り止め部７５が施されて相互に対峙する挟持用舌片部７６を連設すると共に、該挟持用舌片部７６内部に体幹支持基部６１外周面に当接する当接保護材７７を介装して成る挟持部材７９と、該挟持部材７９の外側面に、外側面に滑り止め部８１が施されていて、アーム部材７１がスライド自在に案内挿通される案内溝８２が形成されている浅底キャップ状のアーム支持盤８３と、該アーム支持盤８３と共にアーム部材７１を挟着するようにしてアーム支持盤８３に冠着されるアーム挟持盤８４と、挟持部材７９、アーム支持盤８３、アーム挟持盤８４を同軸上に貫挿して捩じ止めするボルト、ナットから成る捩じ止め部材８５とから成るものである。尚、図示にあっての捩じ止め部材８５は、挟持用舌片部７６に開穿してある角形状の取付孔に嵌まって空転が阻止されるようにして、両端がオネジになっている角棒状のボルト本体と、アーム支持盤８４外側面に捩じ止め圧止するナットとから成るものとしてあるも、頭部付きボルト、ナットから成るものとしたり、蝶ボルト、ナットから成るものとしたり等の公知の捩じ止め構造のものに変更可能であるのは勿論である。また、体幹支持パッド９１は、例えばほぼ矩形状の本体の一端部を僅かに湾曲させて成り、適当なゴム材、発泡合成樹脂材等の軟弾性材料が内包されているものであり、座者の身体に柔軟な状態で当接することでこれを保持するものとなっている。
【００２４】
このように構成した体幹支持機構６０の使用は、体幹支持基部用固定継手部材６４によって椅子ハンドルＨの上下方向パイプ部から車椅子Ｗの前方に延ばされた体幹支持基部６１に対して緩めた状態で装着した体幹支持位置調整手段７１を介して体幹支持パッド９１を支持しておき、座者の身体位置に対応して前後方向の平行移動、左右方向の揺動、上下方向の傾倒夫々を調整した後の捩じ止め部材８５による捩じ止め締付けで体幹支持位置調整手段７１を体幹支持基部６１に固定するのである。尚、該体幹支持機構６０自体は、車椅子Ｗの一方側でのみ使用されるのではなく、左右両側で使用されることもあり、また、体幹支持パッド９１自体は使用状況等によって前後、左右、上下で複数にして体幹支持位置調整手段７１を介して体幹支持基部６１に取り付けることもでき、これらは座者の身体における障害等の状況等その他によって使い分けられるものである。
【００２５】
【発明の効果】
以上の如く本発明によれば、障害者等の座者の頭部Ｃ、体幹部等をその障害者等の頭部Ｃ、体幹部等の位置に対応調整して安定した状態で支持でき、しかも、障害者等の頭部Ｃ、体幹部等の位置が夫々の障害部位、症状等によって異なっていてもそれに対応して簡単に個別調整でき、また頭部Ｃ、体幹部等を含めての座位姿勢を逐一考慮したとしても車椅子Ｗ自体をオーダーメイドしたり、特別な改造を行なったりする必要もなく、更にその構造部品等は独自作製する専用の金具を使用せずに安価且つ簡易に構成することができる。更に一度夫々の可変各部を固定して調整設定すれば、コンパクトに纏められ、しかも分解部位の再結合で原状の復帰も容易なものとなる。また、例えば自転車の付属部品等の既存部品を代用することで簡易な構成で且つ安価なものとすることができ、障害者等の頭部Ｃ、体幹部等を、その障害者等の頭部、体幹部等の位置に対応調整して安定に頭部Ｃ、体幹部等を支持することができる。
【００２６】
すなわちこれは、本発明が車椅子Ｗのフレーム部分の何れかに配設させた枕体支持機構１により、前後及び上下方向の平行移動、左右方向の揺動並びに上下方向の傾倒揺動夫々を複数の調整箇所で調整することを可能にするものとしたからであり、車椅子Ｗを使用する障害者等の頭部Ｃの支持位置を夫々の障害部位、症状等によって異なっていてもこれに対応させて調整設定でき、しかも頭部Ｃを安定に支持させるからである。
【００２７】
しかも、枕体調整固定手段３０で前後・上下方向の平行移動と上下・左右方向の傾倒揺動とが可能であり、水平方向支持基部用固定継手部材１１、上下方向支持部用固定継手部材２１、高さ調整用継手部材４３で上下方向の平行移動と上下方向の傾倒揺動とが可能であり、水平方向支持基部用固定継手部材１１のみで前後方向の平行移動、上下方向支持部用固定継手部材２１のみで左右方向の平行移動と上下方向の傾倒揺動とが可能である等、夫々の調整部分が総じて２箇所以上に設けられていることにより、調整自由度が増える結果、夫々の障害部位、症状等の相違で異なる頭部Ｃの支持位置への対応が確実なものとなる。
【００２８】
そして、枕体支持機構１を車椅子Ｗの椅子ハンドルＨの上下方向パイプ、水平方向パイプの何れかに取り付けた直線型またはへの字型の形状を有する水平方向支持基部１０と、該水平方向支持基部１０に対して水平方向支持基部用固定継手部材１１を介して取り付けられた上下方向支持部２０と、該上下方向支持部２０に対しアーム部材３１、締付固定部材３３を介して枕体２を固定させた頭部位置調整用の締付固定部材３３とによるものとしたので、上下方向支持部２０は水平方向支持基部１０に対する前後傾倒方向への揺動と、必要に応じて水平方向支持基部１０に沿っての水平方向へのスライドとを可能にさせるのである。また、頭部位置調整用の締付固定部材３３は、上下方向支持部２０に対し枕体２をアーム部材３１、締付固定部材３３を介して前後方向にスライド可能とさせると同時に、枕体２の上下方向の平行移動、左右方向の揺動、上下方向の傾倒揺動夫々の微妙な調整が容易となる。
【００２９】
更に、上下方向支持部２０の一端を嵌挿固定させる短尺の上下方向支持部固定用基部４２は、該上下方向支持部固定用基部４２を介して上下方向支持部２０が水平方向支持基部１０に取り付けられ、上下方向支持部固定用基部４２と上下方向支持部２０との間の嵌挿された連繋部分において両者を狭窄緊締状に固定させるように高さ調整用の継手部材４３を設けてあるので、上下方向支持部固定用基部４２に沿っての上下方向支持部２０自体の高さ調整、上下方向支持部固定用基部４２を軸としての上下方向支持部２０の前後方向の回転調整相互を同時に行なうことができる。しかも、必要に応じて上下方向支持部固定用基部４２自体は水平方向支持基部１０に対して前後傾倒方向への揺動と、水平方向支持基部１０に沿っての水平方向へのスライドとを可能にし、枕体２の上下の平行移動、左右方向の揺動、前後傾倒方向の揺動夫々の調整が複数の異なる調整箇所にて容易に行なえる。
【００３０】
また、枕体２は、頭部Ｃ背面が当接する頭部背面支持部３と、該頭部背面支持部３の左右から前方に左右対称にして膨らみ状に形成されていて、頭部Ｃ左右面が当接する頭部左右面支持部４とを一体にして成るので、頭部Ｃを背面と同様に左右からも同時に支持可能とさせ、水平方向の揺れ等の頭部Ｃに掛かる刺激を吸収し緩和させることができる。
【００３１】
更に、水平方向支持基部用固定継手部材１１における挟持部材１９、上下方向支持部用固定継手部材２１における挟持部材２９夫々には、これらの挟持部材１９，２９が挟持する車椅子Ｗのフレーム部分等の外周面に当接する湾曲状の外周面を有する当接保護材１９Ａ，２９Ａを挿入してあるから、挟持部材１９，２９がフレーム部分等を挟持して強く締め付けられるとき、当接保護材１９Ａ，２９Ａがフレーム部分等の外周面に当接して挟持部材１９，２９自体が必要以上にフレーム部分等に圧接しないのである。そのため例えば挟持部材１９，２９における挟持部分が浅底キャップ状であることでその端縁等が食い込み状に圧入するのを阻止してフレーム部分等の損傷等を防止できるばかりでなく、当接保護材１９Ａ，２９Ａの湾曲外周面がフレーム部分の外周面に幅広く当接して強い挟持圧着力を発揮するものとなり、相互に交差連結されるフレーム部分、水平方向支持基部１０、上下方向支持部２０夫々をしっかりと連結するのである。
【００３２】
また、挟持部材１９，２９における一方の挟持用舌片部１３，２３には、ナット部材１０Ｂ，２０Ｂをその端部に内蔵した水平方向支持基部１０、上下方向支持部２０等を連結固定してあり、他方の挟持用舌片部１３，２３側からは、それらのナット部材１０Ｂ，２０Ｂに取付ボルト１０Ｃ，２０Ｃを捩じ込むようにしてあるから、車椅子Ｗのフレーム部分、水平方向支持基部１０等に挟持部材１９，２９を挟持装着して取付ボルト１０Ｃ，２０Ｃを捩じ込むことで、車椅子Ｗのフレーム部分、水平方向支持基部１０等に、水平方向支持基部１０、上下方向支持部２０等を簡単、迅速に連結固定でき、またその分離解体も極めて簡単であるから、総じて部品点数が少ないことと相俟ち取扱いが容易なものである。
【００３３】
一方、車椅子Ｗには体幹支持機構６０を装着してあるから、車椅子Ｗの使用者である座者の身体等を、例えば障害内容等によって種々に異なることでその保持形態等が種々に調整される必要があっても、それらの異なる支持位置に対応した前後方向のスライド、左右方向への揺動、上下方向への傾倒等の夫々の対応調整を簡単に行なうことができ、座者夫々によって異なる体幹部等の異なる位置等に対応させて保持することができるのである。
【図面の簡単な説明】
【図１】  本発明の第１の実施の形態における使用状態を示す概略斜視図である。
【図２】  同じく背面側から見た場合の使用状態を示す概略斜視図である。
【図３】  同じく枕体支持機構の分解斜視図である。
【図４】  同じく水平方向支持部固定用継手部材の分解斜視図である。
【図５】  同じく上下方向支持部固定用継手部材の分解斜視図である。
【図６】  同じく枕体調整固定手段による枕体の前後・上下方向の調整操作を説明する側面図である。
【図７】  同じく枕体調整固定手段による枕体の左右方向の揺動の調整操作を説明する平面図である。
【図８】  本発明の第２の実施の形態における使用状態を示す概略斜視図である。
【図９】  同じく枕体支持機構の分解斜視図である。
【図１０】  同じく継手部材の分解斜視図である。
【図１１】  本発明の第３の実施の形態における使用状態を示す概略斜視図である。
【図１２】  同じく枕体支持機構の分解斜視図である。
【図１３】  同じく水平方向支持基部用固定継手部材、上下方向支持部用固定継手部材における他の実施の形態を示す断面図である。
【図１４】  同じく体幹支持機構の分解斜視図である。
【符号の説明】
Ｗ…車椅子                              Ｈ…椅子ハンドル
Ｂ…背もたれ部                          Ｓ…座部
Ｃ…頭部
１…枕体支持機構                        ２…枕体
３…頭部背面支持部                      ４…頭部左右面支持部
１０…水平方向支持基部                  １０Ａ…ボルト軸部
１０Ｂ…ナット部材                      １０Ｃ…取付ボルト
１１…水平方向支持基部用固定継手部材    １２…ハンドル挿入部
１３…挟持用舌片部                      １４…取付孔
１５…滑り止め部                        １７…ワッシャ
１８…ナット部材                        １８Ａ…回転ハンドル
１９…挟持部材                          １９Ａ…当接保護材
２０…上下方向支持部                    ２０Ａ…ボルト軸部
２０Ｂ…ナット部材                      ２０Ｃ…取付ボルト
２１…上下方向支持部用固定継手部材      ２２…水平方向支持基部挿入部
２３…挟持用舌片部                      ２４…取付孔
２５…滑り止め部                        ２７…ワッシャ
２８…ナット部材                        ２８Ａ…回転ハンドル
２９…挟持部材                          ２９Ａ…当接保護材
３０…枕体調整固定手段                  ３１…アーム部材
３２…アーム支持部                      ３３…締付固定部材
３４…案内溝                            ３５…上下方向支持部挟持部材
３５Ａ…上下方向支持部挿入部            ３５Ｂ…挟持用舌片部
３６…ダイヤル部                        ３７…支持軸部
３８…アーム支持盤                      ３９…アーム挟持盤
４１…割溝                              ４２…上下方向支持部固定用基部
４２Ａ…ボルト軸部                      ４３…高さ調整用継手部材
４４…レバー部                          ４５…押圧部
４６…ナット部材                        ４７…ラバー
４８…ワッシャ                          ４９…ナット部材
５１…ボルト軸部                        ５２…上下方向支持部挿入部
５３…挟持用舌片部                      ５４…取付孔
５５…滑り止め部                        ５９…挟持部材
６０…体幹支持機構                      ６１…体幹支持基部
６５…挿入部                            ６６…挟持用舌片部
６７…挟持部材                          ６８…ナット部材
６９…取付ボルト
７１…アーム部材                        ７２…体幹支持位置調整手段
７３…締付固定部材                      ７４…体幹支持基部挿入部
７５…滑り止め部                        ７６…挟持用舌片部
７７…当接保護材                        ７９…挟持部材
８１…滑り止め部                        ８２…案内溝
８３…アーム支持盤                      ８４…アーム挟持盤
８５…捩じ止め部材                      ９１…体幹支持パッド
【図１】
0004067185.tif 000002
【図２】
0004067185.tif 000003
【図３】
0004067185.tif 000004
【図４】
0004067185.tif 000005
【図５】
0004067185.tif 000006
【図６】
0004067185.tif 000007
【図７】
0004067185.tif 000008
【図８】
0004067185.tif 000009
【図９】
0004067185.tif 000010
【図１０】
0004067185.tif 000011
【図１１】
0004067185.tif 000012
【図１２】
0004067185.tif 000013
【図１３】
0004067185.tif 000014
【図１４】
0004067185.tif 000015